(57)【要約】【課題】小型で、安価なアンテナ装置を提供する。【解決手段】本発明のアンテナ装置は、上面に設けられた配線パターン２に電気部品４が搭載されて所望の電気回路Ｋを形成した回路基板１と、この回路基板１の上面に載置された誘電体５と、この誘電体５の上面に設けられた導電材からなるアンテナ素子６と、電気部品４を覆う金属材からなるカバー９とを備え、電気部品４は、誘電体５の周囲の近傍に分散して配設され、カバー９はリング状をなすと共に、カバー９が誘電体５の外周を囲むように配置されたため、電気部品４が誘電体５の周囲に分散して配置されることによって、電気部品４の配置効率が良く、回路基板１を小型にできると共に、安価なものが得られる。【選択図】        図２
2004165854.tif 000002
【特許請求の範囲】
【請求項１】
上面に設けられた配線パターンに電気部品が搭載されて所望の電気回路を形成した回路基板と、この回路基板の上面に載置された誘電体と、この誘電体の上面に設けられた導電材からなるアンテナ素子と、前記電気部品を覆う金属材からなるカバーとを備え、前記電気部品は、前記誘電体の周囲の近傍に分散して配設され、前記カバーはリング状をなすと共に、前記カバーが前記誘電体の外周を囲むように配置されたことを特徴とするアンテナ装置。
【請求項２】
前記カバーは、金属板で構成され、平板状の上面壁と、この上面壁から前記回路基板側に延びる一対の側壁と、前記上面壁と前記側壁とに囲まれた収容部を有し、前記電気部品が前記収容部内に位置した状態で、前記側壁が前記回路基板に取り付けられたことを特徴とする請求項１記載のアンテナ装置。
【請求項３】
前記カバーの前記上面壁は、前記回路基板からの高さが前記誘電体の上面と同一、或いはほぼ同一としたことを特徴とする請求項２記載のアンテナ装置。
【請求項４】
前記電気回路に接続されたケーブルが前記側壁から導出されたことを特徴とする請求項２、又は３記載のアンテナ装置。
【請求項５】
前記誘電体が前記回路基板の中央部に配置されたことを特徴とする請求項１から４の何れかに記載のアンテナ装置。
【請求項６】
前記回路基板の下面には接地用パターンが設けられ、前記接地用パターンと前記カバーとが導通したことを特徴とする請求項１から５の何れかに記載のアンテナ装置。
【発明の詳細な説明】
【０００１】
【発明の属する技術分野】
本発明は自動車等の移動体物に使用して好適なアンテナ装置に関する。
【０００２】
【従来の技術】
従来のアンテナ装置の構成を図４に基づいて説明すると、プリント基板からなる回路基板５１は、細長状をなし、上面に配線パターン５２が形成されると共に、下面全体に接地用パターン５３が形成されている。
【０００３】
そして、配線パターン５２には、種々の電気部品５４が搭載されて、回路基板５１の中央部には、所望の電気回路Ｋが形成されている。
【０００４】
四角の板状の誘電体５５は、回路基板５１の一端側において、回路基板５１の上面に載置して取り付けられ、この誘電体５５の上面には、導電材からなるアンテナ素子５６が設けられている。
【０００５】
そして、誘電体５５が回路基板５１の上面に取り付けられた際、誘電体５５の全周囲には、回路基板５１の一部が延在した延在部５１ａを設け、この延在部５１ａを含む回路基板５１の下面に設けられた接地用パターン（地導体）５３の存在によって、放射電波の指向性を広げている。
【０００６】
また、誘電体５５が回路基板５１の上面に取り付けられた際、誘電体５５の一辺側で回路基板５１が延長されて、この延長部分に電気回路Ｋを形成する電気部品５４が配設された状態となっている。
【０００７】
誘電体５５上に設けられたアンテナ素子５６は、誘電体５５を貫通して設けられたスルーホール（接続導体）５７によって、配線パターン５２に接続されており、このような構成によって、パッチ型のアンテナ装置が構成されている。（例えば、特許文献１参照）
【０００８】
【特許文献１】
特開平４−２４７７２２号公報
【０００９】
【発明が解決しようとする課題】
従来のアンテナ装置は、誘電体５５の一辺側に延長された回路基板５１の上面に電気部品５５が配置されたものであるため、全体が大型になるという問題がある。
また、電気回路Ｋとアンテナとの間に相互干渉があった。
また、放射電波の指向性を対称にするために、回路基板５５には、誘電体５５の全周囲から延在した延在部５１ａと、この延在部５１ａの下面に接地用パターン（地導体）５３を必要とし、大型で、コスト高になるという問題がある。
【００１０】
そこで、本発明は小型で、安価なアンテナ装置を提供することを目的とする。
【００１１】
【課題を解決するための手段】
上記課題を解決するための第１の解決手段として、上面に設けられた配線パターンに電気部品が搭載されて所望の電気回路を形成した回路基板と、この回路基板の上面に載置された誘電体と、この誘電体の上面に設けられた導電材からなるアンテナ素子と、前記電気部品を覆う金属材からなるカバーとを備え、前記電気部品は、前記誘電体の周囲の近傍に分散して配設され、前記カバーはリング状をなすと共に、前記カバーが前記誘電体の外周を囲むように配置された構成とした。
【００１２】
また、第２の解決手段として、前記カバーは、金属板で構成され、平板状の上面壁と、この上面壁から前記回路基板側に延びる一対の側壁と、前記上面壁と前記側壁とに囲まれた収容部を有し、前記電気部品が前記収容部内に位置した状態で、前記側壁が前記回路基板に取り付けられた構成とした。
【００１３】
また、第３の解決手段として、前記カバーの前記上面壁は、前記回路基板からの高さが前記誘電体の上面と同一、或いはほぼ同一とした構成とした。
また、第４の解決手段として、前記電気回路に接続されたケーブルが前記側壁から導出された構成とした。
【００１４】
また、第５の解決手段として、前記誘電体が前記回路基板の中央部に配置された構成とした。
また、第６の解決手段として、前記回路基板の下面には接地用パターンが設けられ、前記接地用パターンと前記カバーとが導通した構成とした。
【００１５】
【発明の実施の形態】
本発明のアンテナ装置の図面を説明すると、図１は本発明のアンテナ装置の斜視図、図２は本発明のアンテナ装置の要部の分解斜視図、図３は本発明のアンテナ装置の断面図である。
【００１６】
次に、本発明のアンテナ装置の構成を図１〜図３に基づいて説明すると、プリント基板からなる回路基板１は、四角状をなし、上面に配線パターン２が形成されると共に、下面全体に接地用パターン３が形成されている。
【００１７】
そして、配線パターン２には、種々の電気部品４が搭載されて、回路基板１の中央部には、所望の電気回路（増幅回路）Ｋが形成されている。
【００１８】
四角の板状の誘電体５の上面には、導電材からなるパターンや金属薄板からなるアンテナ素子６が設けられると共に、誘電体５の下面には、地導体７が設けられている。
なお、誘電体５は、四角以上の多角形や円形のものを使用しても良い。
【００１９】
そして、このような誘電体５は、回路基板１の中央部に載置して取り付けられ、誘電体５が取り付けられた際、電気部品４は、誘電体５の周囲の近傍に分散した状態で配置された状態となっている。
【００２０】
また、誘電体５が取り付けられた際、地導体７は、絶縁層等によって、誘電体５の下面に延びた配線パターン２と絶縁状態となっている。
なお、この地導体７は、誘電体５の下面と対向する回路基板１の上面、或いは下面に設けても良い。
【００２１】
更に、誘電体５が回路基板１の上面に取り付けられた際、誘電体５上に設けられたアンテナ素子６は、誘電体５５を貫通して設けられたスルーホール（接続導体）８によって、配線パターン２に接続されている。
【００２２】
金属板等の金属材からなるカバー９は、四角のリング状をなし、平板状の上面壁９ａと、この上面壁９ａの端部から折曲されて下方に延びる一対の側壁９ｂと、上面壁９ａと側壁９ｂとで囲まれた収容部９ｃと、リング状の中央部に位置して設けられた空間部９ｄとを有する。
【００２３】
そして、このカバー９は、中央部の空間部９ｄに誘電体５を位置させ、誘電体５の周囲を囲んだ状態で、回路基板１の上面に半田付け等によって取り付けられる。
この時、収容部９ｃ内には、電気部品４が位置して、電気回路Ｋを電気的にシールドすると共に、カバー９は、回路基板１の下面の接地用パターン３に接続されて、電気回路Ｋが電気的に一層、シールドされるようになっている。
【００２４】
また、カバー９の上面壁９ａは、誘電体５の全外周から外方に延在した状態となっており、これによって、カバー９は、放射電波の指向性を広げる役目を兼ねている。
【００２５】
更に、カバー９が回路基板１に取り付けられた際、カバー９の上面壁９ａは、回路基板１からの高さが誘電体５の上面と同一、或いはほぼ同一となっており、これによって、カバー９の高さを抑制して、小型化を図っている。
【００２６】
なお、カバー９は、完全なリング状のもので説明したが、一部が欠けた状態のリング状のものを使用しても良い。
【００２７】
同軸型のケーブル１０は、電気回路Ｋに接続された状態で、カバー９の側壁９ｂに設けられた切り欠き部からなる挿通部９ｅを通って外部に導出されており、このような構成によって、パッチ型のアンテナ装置が構成されている。
【００２８】
【発明の効果】
本発明のアンテナ装置は、上面に設けられた配線パターンに電気部品が搭載されて所望の電気回路を形成した回路基板と、この回路基板の上面に載置された誘電体と、この誘電体の上面に設けられた導電材からなるアンテナ素子と、電気部品を覆う金属材からなるカバーとを備え、電気部品は、誘電体の周囲の近傍に分散して配設され、カバーはリング状をなすと共に、カバーが誘電体の外周を囲むように配置された構成とした。
このように、電気部品が誘電体の周囲に分散して配置されることによって、電気部品の配置効率が良く、回路基板を小型にできると共に、安価なものが得られる。
また、カバーは、電気回路Ｋのシールドと放射電波の指向性の対称を兼ねることができて、部品点数が少なく、安価なものが得られる。
また、本発明は、従来の延在部５１の下面に設けられて、指向性を対称にする接地用パターン（地導体）５３が不要となって、小型で、安価なものが得られる。
【００２９】
また、カバーは、金属板で構成され、平板状の上面壁と、この上面壁から回路基板側に延びる一対の側壁と、上面壁と側壁とに囲まれた収容部を有し、電気部品が収容部内に位置した状態で、側壁が回路基板に取り付けられたため、構成が簡単で、生産性の良好なものが得られる。
【００３０】
また、カバーの上面壁は、回路基板からの高さが誘電体の上面と同一、或いはほぼ同一としたため、電気部品がコンパクトに収納できると共に、小型のもが得られる。
【００３１】
また、電気回路に接続されたケーブルが側壁から導出されたため、小型で、ケーブルの導出の容易なものが得られる。
【００３２】
また、誘電体が回路基板の中央部に配置されたため、誘電体の配置効率が良く、且つ、誘電体の周囲におけるカバーの幅の均一なものが容易に提供できる。
【００３３】
また、回路基板の下面には接地用パターンが設けられ、接地用パターンとカバーとが導通したため、電気回路のシールドの一層良好なものが得られる。
【図面の簡単な説明】
【図１】本発明のアンテナ装置の斜視図。
【図２】本発明のアンテナ装置の要部の分解斜視図。
【図３】本発明のアンテナ装置の断面図。
【図４】従来のアンテナ装置の要部の斜視図。
【符号の説明】
１  回路基板
２  配線パターン
３  接地用パターン
４  電気部品
Ｋ  電気回路
５  誘電体
６  アンテナ素子
７  地導体
８  スルーホール
９  カバー
９ａ  上面壁
９ｂ  側壁
９ｃ  収容部
９ｄ  空間部
９ｅ  挿通部
１０  ケーブル
【図１】
2004165854.tif 000003
【図２】
2004165854.tif 000004
【図３】
2004165854.tif 000005
【図４】
2004165854.tif 000006